(57)【特許請求の範囲】
【請求項１】
シャッター開閉用開口の両側に配置され、上部に収納ボックスを有する左右一対のガイドレールと、これらのガイドレール間を昇降開閉する上下複数段のパネルと、該パネルの両側に軸支された吊下げ用ローラと、前記パネルの相互を両側方で一連に連繋している左右一対のパネル連繋チェーンと、該パネル連繋チェーンを前記収納ボックス内で噛合させた左右一対のパネル駆動用スプロケットと、該パネル駆動用スプロケットをパネル収納方向側に通過する際のパネルの前記吊下げ用ローラを転動自在に支承する収納レールとを備え、前記パネル駆動用スプロケットの正逆回転による前記パネル連繋チェーンの送り作動によって、前記一連のパネルを、前記両ガイドレールに沿った直列姿勢の縦移動と、前記収納レールに沿った並列姿勢の横移動とに継送するパネルシャッター装置において、前記収納レールの前端側の下端面を、前記収納ボックスの左右のブラケットに前記パネル駆動用スプロケットを回転自在に支持しているスプロケット支持軸の外周面と同一曲率のアール状に形成し、その収納レールの前端側を前記スプロケット支持軸に直接支持固定させると共に、前記収納レールにおける前記スプロケット支持軸よりもパネル収納方向側の適当箇所を前記ブラケットに支持させたことを特徴とするパネルシャッター装置。
【請求項２】
前記ブラケットは内側に突出する断面水平状のレール支持片部を有し、このレール支持片部に対して前記収納レールのスプロケット支持軸よりもパネル収納方向側の適当箇所を支持させたことを特徴とする請求項１記載のパネルシャッター装置。
【請求項３】
前記収納レールは、前記吊下げ用ローラの転動面と、該転動面を上方で覆い且つ該転動面との間で前記吊下げ用ローラの走行を許容するレールカバーとを有していることを特徴とする請求項１または請求項２記載のパネルシャッター装置。
【請求項４】
前記収納レールの前端面は、スプロケット軸の軸心を通る垂線よりもパネル送出側に位置していることを特徴とする請求項１から請求項３のうちのいずれか１項記載のパネルシャッター装置。
【発明の詳細な説明】
【０００１】
【発明の属する技術分野】
この発明は、建物のシャッター開閉用開口を昇降開閉するパネルシャッター装置に関し、特に収納レールの取付構造を改良したパネルシャッター装置に関するものである。
【０００２】
【従来の技術】
従来のパネルシャッター装置として、シャッター開閉用開口の両側に配置され、上部に収納ボックスを有する左右一対のガイドレールと、これらのガイドレール間を昇降開閉する上下複数段のパネルと、該パネルの両側に軸支された吊下げ用ローラと、前記パネルの相互を両側方で一連に連繋している左右一対のパネル連繋チェーンと、該パネル連繋チェーンを前記収納ボックス内で噛合させた左右一対のパネル駆動用スプロケットと、該パネル駆動用スプロケットをパネル収納方向側に通過する際のパネルの前記吊下げ用ローラを転動自在に支承する収納レールとを備えた構成のものがある。
【０００３】
かかるパネルシャッター装置は、前記パネル駆動用スプロケットの正逆回転による前記パネル連繋チェーンの送り作動によって、前記一連のパネルを、前記両ガイドレールに沿った直列姿勢の縦移動と、前記収納レールに沿った並列姿勢の横移動とに継送するようになっている。
【０００４】
ここで、前記収納レールは、垂直のブラケット取付面と水平の転動面とを有する断面Ｌ型部材からなり、その垂直のブラケット取付面を収納ボックス左右のブラケットの垂直面に対して取付け固定した支持構造となっている。
【０００５】
【発明が解決しようとする課題】
従来のパネルシャッター装置は以上のように構成され、収納レールをブラケットの垂直面に取付け固定して収納レールとパネル駆動用スプロケットとの直接的な取り合いを行っていないので、パネル駆動用スプロケットとの相対的な位置関係が重要視される収納レールの取付け位置精度、および収納レールの形状、ブラケットからの収納レール持ち出し距離等が大きく制約されるという課題があった。また、前記収納レールは転動面の保護手段を何ら有していないため、その転動面に塵埃等のダストが堆積し、吊下げ用ローラの走行に支障を来す場合が生じるという課題があった。
【０００６】
この発明は上記のような課題を解決するためになされたもので、パネル駆動用スプロケットとの相対的位置関係上における収納レールの取付け位置精度が出し易く、しかも、該収納レールの取付け姿勢の誤差を吸収可能で、且つ収納レールの転動面に対する塵埃等の堆積を防止できるパネルシャッター装置を得ることを目的とする。
【０００７】
【課題を解決するための手段】
請求項１の発明に係るパネルシャッター装置は、パネル駆動用スプロケットをパネル収納方向側に通過する際のパネルの吊下げ用ローラを転動自在に支承する収納レールの前端側の下端面を、前記パネル駆動用スプロケットのスプロケット支持軸の外周面と同一曲率のアール状に形成し、その収納レールの前端側を前記スプロケット支持軸に直接支持固定させると共に、前記収納レールにおける前記スプロケット支持軸よりもパネル収納方向側の適当箇所を前記ブラケットに支持させたものである。
【０００８】
請求項２の発明に係るパネルシャッター装置は、前記ブラケットに設けられて内側に突出する断面水平状のレール支持片部に対して前記収納レールのスプロケット支持軸よりもパネル収納方向側の適当箇所を支持させたものである。
【０００９】
請求項３の発明に係るパネルシャッターの収納レールは、前記吊下げ用ローラの転動面と、該転動面を上方で覆い且つ該転動面との間で前記吊下げ用ローラの走行を許容するレールカバーとを有しているものである。
請求項４の発明に係るパネルシャッター装置は、収納レールの前端面がスプロケット軸の軸心を通る垂線よりもパネル送出側に位置しているものである。
【００１０】
【発明の実施の形態】
以下、この発明の実施の一形態を説明する。
実施の形態１．
図１はこの発明の実施の一形態によるパネルシャッター装置を示す概略的な正面図、図２は図１のパネルシャッター装置の収納ボックスを示す拡大断面図、図３は図２の要部拡大断面図、図４は図２および図３における収納レール前端側の取付け部分を示す側面図、図５は図３のＡ−Ａ線矢視図である。
【００１１】
図１において、１はシャッター開閉用開口の両側に起立配置された左右一対のガイドレールであり、これらのガイドレール１は対向面側に縦長開口を有する断面略コ字状の部材からなっている。
【００１２】
２はガイドレール１の上部に配置された収納ボックスであり、左右両側にブラケット２ａを備えている。このブラケット２ａは、収納ボックス２の両側壁部を形成するもの、または、該収納ボックス２の内部両側に配置されるものの何れであってもよい。
【００１３】
３は左右のガイドレール１内に両側部が昇降自在に嵌込み係合されて該ガイドレール１間を昇降開閉する上下複数段のパネルであり、これらのパネル３相互はそれぞれの両側方でパネル連繋チェーン４によって一連に連繋されている。
【００１４】
ここで、各パネル３とパネル連繋チェーン４との連結手段について説明する。まず、パネル連繋チェーン４のパネル支持箇所には、図１および図５に示すようにロングピンＰが貫通状態に取付けられ、このロングピンＰを各パネル３の上部両側の孔部に対しスラスト方向へ移動可能に差し込むことにより、そのロングピンＰを介して各パネル３が両側方で前記パネル連繋チェーン４によって一連に連繋されている。
【００１５】
その連繋状態において、前記パネル連繋チェーン４は各パネル３の両側端面よりも外側に位置し、そのパネル連繋チェーン４よりも更に外側に位置する吊下げ用ローラ５が前記ロングピンＰの外端部に取り付けられている。
【００１６】
図２，図３，図５において、６は前記収納ボックス２内におけるガイドレール１の上端部近傍に配置されたパネル駆動用スプロケットであり、このパネル駆動用スプロケット６はブラケット２ａに回転自在に軸支されている。
【００１７】
さらに詳しく述べると、前記ブラケット２ａには筒状軸受構造のスプロケット支持軸７が取付け固定され、このスプロケット支持軸７に前記パネル駆動用スプロケット６の回転軸（スプロケット軸６ａ）が回転自在に支承され、このスプロケット軸６ａには動力伝達用のスプロケット８が取付けられている。
【００１８】
従って、パネル駆動用スプロケット６は動力伝達用のスプロケット８と同軸回転するようになっており、そのパネル駆動用スプロケット６に前記パネル連繋チェーン４を噛合させている。
【００１９】
９は収納レールであって、パネル駆動用スプロケット６をパネル収納方向側に通過する際のパネル３の吊下げ用ローラ５を支承して走行させるべく、パネル駆動用スプロケット６側の前端側からパネル収納方向側に向う後端側が漸次下降傾斜した配置となっている。
【００２０】
ここで、収納レール９について更に詳しく述べると、この収納レール９は、図５に示すように、ブラケット２ａに面する垂直面板部９ａと、この垂直面板部９ａの内側（ブラケット２ａと反対側）に突出する断面水平状の転動面９ｂと、前記垂直面板部９ａの上端に折曲形成されて前記転動面９ｂを上方で覆い、且つ、該転動面９ｂとの間で吊下げ用ローラ５の走行を許容するレールカバー９ｃとを有している。
【００２１】
また、レールカバー９ｃの側端部（図５で右側端部）には、前記転動面９ｂ上から吊下げ用ローラ５が逸脱するのを防止するためのローラ逸脱防止片部９ｅが折曲形成され、さらに、前記転動面９ｂの側端部（図５で右側端部）にはレール補強用のスカート部９ｆが折曲形成されている。
【００２２】
このように形成された収納レール９の前端側には下向き取付片部９１が一体形成され、この下向き取付片部９１の下端面は前記スプロケット支持軸７の外周面と同一曲率のアール状下端面９２として形成されている。
【００２３】
そして、前記収納レール９は、前端側の下向き取付片部９１のアール状下端面９２をスプロケット支持軸７の外周面に直接支持固定させると共に、該スプロケット支持軸７よりもパネル収納方向側の適当箇所をブラケット２ａのレール支持片部２ｂに支持させた取付構造となっている。
【００２４】
このように、収納レール９前端側の下向き取付片部９１のアール状下端面９２をスプロケット支持軸７の外周面に支持させることにより、パネル駆動用スプロケット６に対して前記収納レール９の前端側を正確に位置決めできる。このため、収納レール９の後端側の傾斜角度に誤差が生じた場合であっても、その誤差を吸収できる。
【００２５】
また、前記収納レール９の前端面９３（図４参照）は、スプロケット軸６ａの軸心を通る垂線Ｌよりもパネル送出側（図４で垂線Ｌの左側）に位置させることが好ましく、この場合、パネル収納動作時の吊下げ用ローラ５を転動面９ｂにスムーズに移行させることができる。
【００２６】
なお、前記レール支持片部２ｂは、ブラケット２ａのレール支持箇所を内側方に向って切込み折曲した断面水平状の切り起し片部から成り、そのレール支持片部２ｂ上に前記収納レール９の中途部と後端側とで転動面９ｂ下面を支持固定させている。従って、前記収納レール９は、上述の如く前端側をスプロケット支持軸７に、且つ、中途部と後端側をブラケット２ａのレール支持片部２ｂに支持させた取付構造となっている。
【００２７】
このような取付構造の収納レール９は、垂直面板部９ａがブラケット２ａの切込み開口２ｃ（図２，図３参照）を塞ぐことによって、その切込み開口２ｃから収納ボックス２内への塵埃等の侵入を防止できる。なお、前記切込み開口２ｃは、ブラケット２ａにレール支持片部２ｂを切り起し形成することによって、そのブラケット２ａの生じる開口である。
【００２８】
図２において、１０は開閉機であり、この開閉機１０の回転出力が動力伝達機構１１を介して前記動力伝達用のスプロケット８に伝達させることにより、パネル駆動用スプロケット６が回転駆動されるようになっている。
【００２９】
１２はブラケット２ａに取付けられてパネル連繋チェーン４の上端エンド部を滑動自在に連結させたチェーン先端誘導棒、１３は各パネル３の下部両側に回転自在に軸支された下部ガイドローラ、１４はブラケット２ａに設けられて前記下部ガイドローラ１３を所定のパネル移動方向に誘導するパネルガイドである。
【００３０】
１５はスプロケットガード板であり、該スプロケットガード板１５は、パネル駆動用スプロケット６の歯先円内方で該歯先に沿ってガイドレール１の上端から収納レール９側にパネル連繋チェーン４を摺接誘導する円弧縁部を有している。１６はチェーン押え板であり、このチェーン押え板１６はパネル駆動用スプロケット６の歯先部からパネル連繋チェーン４が外れるのを防止する。
【００３１】
次に動作について説明する。
ガイドレール１の相互間に全てのパネル３が繰り出されたシャッター全閉状態において、開閉機１０の起動によりパネル駆動用スプロケット６が図中で時計廻り方向に回転駆動されると、該スプロケット６の回転によるパネル連繋チェーン４の送り作動で一連のパネル３が、ガイドレール１に沿った直列姿勢の縦移動から収納レール９に沿った並列姿勢の横移動に継送される。
【００３２】
その継送時、すなわち、パネル駆動用スプロケット６をパネル収納方向側にパネル３が通過する際、該パネル３の吊下げ用ローラ５が収納レール９の転動面９ｂ上に移行し、該転動面９ｂ上を走行することによって、パネル駆動用スプロケット６をパネル収納方向側に順次通過したパネル３は収納レール９によって並列姿勢の吊持状態に収納される。
【００３３】
このようなパネル収納状態からパネル駆動用スプロケット６が逆回転駆動されると、該スプロケット６の回転によるパネル連繋チェーン４の送り作動によって一連のパネル３は、収納レール９に沿った並列姿勢の横移動からガイドレール１に沿った縦下降移動に移送されて該ガイドレール１間を閉鎖する。
【００３４】
なお、上記実施の形態では、収納レール９を傾斜させた場合について説明したが、収納レール９は水平レールであってもよく、この場合も同様の効果を得ることができる。
【００３５】
【発明の効果】
以上のように、請求項１の発明によれば、収納レールの前端側の下端面をパネル駆動用スプロケットのスプロケット支持軸の外周面と同一曲率のアール状に形成し、その収納レール前端側のアール状の下端面を前記スプロケット支持軸に支持固定させるように構成したので、パネル駆動用スプロケットに対する収納レール前端側の位置決めを正確かつ容易に行うことができ、このように収納レールの前端側がパネル駆動用スプロケットに対して正確に位置決めされることにより、収納レールの後端側に取付誤差が生じた場合にその取付誤差を吸収できるので、収納レールの取付けが簡単に行えるという効果がある。
【００３６】
請求項２の発明によれば、ブラケットの内側に断面水平状のレール支持片部を設け、このレール支持片部に収納レールの中途部や後端側を支持させるように構成したので、収納レールの取付けを一層簡単に手際よく行うことができるという効果がある。
【００３７】
請求項３の発明によれば、収納レールの転動面が上方でレールカバーによって覆われるように構成したので、前記転動面に塵埃等のダストが堆積するのを抑制でき、このため、その堆積ダストに起因した吊下げ用ローラの走行に支障を来すようなことが少なくなり、パネルの開閉動作を円滑に遂行させ得るという効果がある。
請求項４の発明によれば、収納レールの前端面がスプロケット軸の軸心を通る垂線よりもパネル送出側に位置していることにより、パネル収納動作時の吊下げ用ローラを収納レールの転動面にスムーズに移行させることができるという効果がある。
【図面の簡単な説明】
【図１】この発明の実施の一形態によるパネルシャッター装置を示す概略的な正面図である。
【図２】図１のパネルシャッター装置の収納ボックスを示す拡大断面図である。
【図３】図２の要部拡大断面図である。
【図４】図２および図３における収納レール前端側の取付け部分を示す側面図である。
【図５】図３のＡ−Ａ線矢視図である。
【符号の説明】
１    ガイドレール
２    収納ボックス
２ａ  ブラケット
２ｂ  レール支持片部
３    パネル
４    パネル連繋チェーン
５    吊下げ用ローラ
６    パネル駆動用スプロケット
６ａ  スプロケット軸
７    スプロケット支持軸
９    収納レール
９ｂ  転動面
９ｃ  レールカバー
【図１】
0003547535.tif 000002
【図２】
0003547535.tif 000003
【図３】
0003547535.tif 000004
【図４】
0003547535.tif 000005
【図５】
0003547535.tif 000006